(57)【特許請求の範囲】
【請求項１】
鍵盤シャーシ上に上下方向に回転可能に取り付けられた鍵と、
前記鍵の押鍵操作に伴って回転して前記鍵にアクション荷重を付与するハンマー部材と、
前記ハンマー部材に移動可能に設けられ、前記ハンマー部材の回転に伴う遠心力に応じて移動する移動部材と、
前記押鍵操作に伴って前記移動部材が移動した位置が、所定の移動範囲内にある場合のみ、前記移動部材と当接するクリック感付与部材と、
を備えていることを特徴とする鍵盤装置。
【請求項２】
請求項１に記載の鍵盤装置において、前記移動部材は、前記ハンマー部材の回転中心から離れる方向に移動することを特徴とする鍵盤装置。
【請求項３】
請求項２に記載の鍵盤装置において、前記移動部材は、前記鍵が押鍵されていない場合に初期位置に位置し、前記鍵を所定の力で押鍵操作した場合に前記初期位置に位置することを維持し、前記鍵を前記所定の力より強い力で押鍵した場合に前記ハンマー部材の回転中心から離れる方向に移動することを特徴とする鍵盤装置。
【請求項４】
請求項１〜請求項３に記載の鍵盤装置において、前記移動部材を前記初期位置に向けて付勢する付勢部材を備えていることを特徴とする鍵盤装置。
【請求項５】
請求項１〜請求項４のいずれかに記載の鍵盤装置において、前記クリック感付与部材は、上下方向に撓み変形する弾性部材を有し、前記移動部材が前記弾性部材に下側から当接する際における前記弾性部材の撓み変形力と、前記移動部材が前記弾性部材に上側から当接する際における前記弾性部材の撓み変形力とが、異なることを特徴とする鍵盤装置。
【請求項６】
請求項５に記載の鍵盤装置において、前記クリック感付与部材は、前記鍵を所定の力で押鍵操作した場合に前記移動部材と当接し、前記鍵を前記所定の力より強い力で押鍵した場合に前記移動部材と当接しないことを特徴とする鍵盤装置。
【発明の詳細な説明】
【技術分野】
【０００１】
この発明は、電子ピアノや電子オルガンなどの鍵盤楽器に用いられる鍵盤装置に関する。
【背景技術】
【０００２】
例えば、鍵盤楽器の鍵盤装置においては、特許文献１に記載されているように、鍵盤シャーシ上に上下方向に回転可能に設けられた鍵を押鍵操作した際に、ハンマー部材を回転させて鍵にアクション荷重を付与すると共に、クリック感付与部材によって押鍵操作が終了する直前に鍵荷重を急激に軽くするレットオフ感を付与することにより、アコースティックピアノの鍵タッチ感に近似した鍵タッチ感が得られるように構成されたものが知られている。
【先行技術文献】
【特許文献】
【０００３】
【特許文献１】特開平０６−２３０７７０号公報
【０００４】
このような鍵盤装置におけるクリック感付与部材は、鍵盤シャーシに設けられた板ばねなどの弾性部材と、この弾性部材に回転可能に取り付けられたローラとを備え、鍵の押鍵操作に伴ってハンマー部材が回転し、押鍵操作が終了する直前にハンマー部材の端部がローラに当接して乗り越える際に、ローラが回転しながら弾性部材が弾性変形することにより、鍵荷重を重くして急激に軽くするレットオフ感を付与するように構成されている。
【発明の概要】
【発明が解決しようとする課題】
【０００５】
しかしながら、このような鍵盤装置では、鍵を強く押鍵しても、また鍵を弱く押鍵しても、押鍵操作が終了する直前にハンマー部材の端部がローラに当接して乗り越えるため、必ず鍵にレットオフ感が付与されてしまうという問題がある。一般に、アコースティックピアノでは、鍵を弱く押鍵した際に、レットオフ感が付与されるが、鍵を強く押鍵した際には、レットオフ感が付与されないように構成されている。
【０００６】
この発明が解決しようとする課題は、鍵を押鍵する強さに応じてクリック感を付与することができ、これによりアコースティックピアノの鍵タッチ感に近似した鍵タッチ感を得ることができる鍵盤装置を提供することである。
【課題を解決するための手段】
【０００７】
この発明は、鍵盤シャーシ上に上下方向に回転可能に取り付けられた鍵と、前記鍵の押鍵操作に伴って回転して前記鍵にアクション荷重を付与するハンマー部材と、前記ハンマー部材に移動可能に設けられ、前記ハンマー部材の回転に伴う遠心力に応じて移動する移動部材と、前記押鍵操作に伴って前記移動部材が移動した位置が、所定の移動範囲内にある場合のみ、前記移動部材と当接するクリック感付与部材と、を備えていることを特徴とする鍵盤装置である。
【発明の効果】
【０００８】
この発明によれば、鍵を強く押鍵すると、移動部材が遠心力で移動して、この移動部材をクリック付与部材から離すことができるので、クリック付与部材によるクリック感が鍵に付与されず、また鍵を弱く押鍵すると、移動部材が遠心力でほとんど移動せず、この移動部材をクリック感付与部材に当接させて乗り越えさせることができるので、クリック付与部材によるクリック感を鍵に付与することができる。これにより、鍵を押鍵する強さに応じてクリック感を付与することができるので、アコースティックピアノの鍵タッチ感に近似した鍵タッチ感を得ることができる。
【図面の簡単な説明】
【０００９】
【図１】この発明を電子鍵盤楽器の鍵盤装置に適用した一実施形態を示した断面図である。
【図２】図１に示された鍵盤装置のハンマー部材を示した拡大図である。
【図３】図２に示されたハンマー部材のＡ−Ａ矢視における要部の拡大断面図である。
【図４】図１に示された鍵盤装置のクリック感付与部材を示した要部の拡大断面図である。
【図５】図１に示された鍵盤装置において、鍵を弱い力で押鍵した状態を示した断面図である。
【図６】図１に示された鍵盤装置において、鍵を強い力で押鍵した状態を示した断面図である。
【図７】図２に示されたハンマー部材の変形例を示した拡大図である。
【図８】図２に示されたハンマー部材に設けられた付勢部材の各変形例を示し、（ａ）は付勢部材の第１変形例を示した要部の拡大図、（ｂ）は付勢部材の第２変形例を示した要部の拡大図である。
【発明を実施するための形態】
【００１０】
以下、図１〜図６を参照して、この発明を電子鍵盤楽器の鍵盤装置に適用した一実施形態について説明する。
この鍵盤装置は、図１に示すように、合成樹脂製の鍵盤シャーシ１と、この鍵盤シャーシ１上に配列されて上下方向にそれぞれ回転可能に取り付けられた複数の鍵２と、これら複数の鍵２の押鍵操作に伴って各鍵２にそれぞれアクション荷重を付与する複数のハンマー部材３と、複数の鍵２の押鍵動作に応じてそれぞれオン信号を出力するスイッチ部４とを備えている。
【００１１】
鍵盤シャーシ１は、楽器ケース（図示せず）内に配置されるものである。この鍵盤シャーシ１の前端部（図１では右端部）には、図１に示すように、前脚部５が底部から上方に突出して形成されている。この前脚部５の上部には、鍵２の横振れを防ぐための鍵ガイド部６が各鍵２にそれぞれ対応して設けられている。
【００１２】
また、この鍵盤シャーシ１における前脚部５の後部側（図１では左側部）には、図１に示すように、ハンマー載置部７が前脚部５よりも少し高い高さで形成されている。このハンマー載置部７の下面には、ハンマー部材３を支持するためのハンマー支持部８が下側に向けて突出して設けられている。このハンマー支持部８には、ハンマー部材３を上下方向に回転可能に支持する支持軸８ａが設けられている。
【００１３】
また、この鍵盤シャーシ１の前後方向（図１では左右方向）におけるほぼ中間部、つまりハンマー鍵載置部７の上部後方には、図１に示すように、基板載置部１０が一段低い高さで形成されている。この基板載置部１０の上方には、スイッチ部４がハンマー載置部７と基板支持部１１との両方に跨った状態で取り付けられている。この場合、基板支持部１１は、基板載置部１０の後部側（図１では左側）上面に起立して設けられている。
【００１４】
さらに、この鍵盤シャーシ１の後部、つまり基板載置部１０の後部側には、図１に示すように、鍵載置部１２が鍵ガイド部６の上部とほぼ同じ高さで形成されている。この鍵載置部１２の上面には、鍵支持部１３が上方に突出して形成されている。この鍵支持部１３には、鍵２の後端部を上下方向に回転可能に支持する支持軸１３ａが設けられている。
【００１５】
また、この鍵盤シャーシ１における鍵載置部１２の後端部には、図１に示すように、鍵盤シャーシ１の後端部を支持する後脚部１４が鍵盤シャーシ１の上部から底部に向けて垂下されている。この後脚部１４の下端部には、ハンマー部材３の下限位置を規制するためのフェルトなどの下限ストッパ部１５が設けられている。
【００１６】
一方、鍵２は、白鍵と黒鍵とを有している。ただし、この実施形態では、１つの白鍵について説明する。この鍵２は、図１に示すように、その後端部（図１では左端部）が鍵盤シャーシ１の鍵載置部１２上に設けられた鍵支持部１３に支持軸１３ａによって上下方向に回転可能に支持されている。この鍵２の前後方向（図１では左右方向）におけるほぼ中間部には、鍵盤シャーシ１の基板載置部１０上に取り付けられたスイッチ部４を押圧するためのスイッチ押圧部１６が下側に突出して形成されている。
【００１７】
この場合、スイッチ部４は、図１に示すように、スイッチ基板１７上に配置されたゴムシート１８を備え、このゴムシート１８にドーム状の膨出部１８aが鍵２のスイッチ押圧部１６に対応して形成された構成になっている。このスイッチ部４におけるスイッチ基板１７は、その前端部（図１では右端部）がハンマー載置部７上に配置され、他端部（図１では左端部）が基板載置部１０上に設けられた基板支持部１１上に配置され、この状態で基板載置部１０の上方に浮いた状態で取り付けられている。
【００１８】
また、このスイッチ部４は、図１に示すように、ゴムシート１８の膨出部１８aがスイッチ押圧部１６によって押圧された際に、図５および図６に示すように、膨出部１８aが弾性変形して、その内部の可動接点がスイッチ基板１７の固定接点に接触してオン信号を出力するように構成されている。
【００１９】
さらに、鍵２のスイッチ押圧部１６の前側（図１では右側）に位置する鍵２の箇所には、図１に示すように、ハンマー押圧部２０が鍵２の下側に向けて突出して形成されている。このハンマー押圧部２０の下部には、ハンマー部材３の後述する鍵当接摺動部２６を摺動可能に挿入して保持するハンマー保持部２１が設けられている。
【００２０】
一方、ハンマー部材３は、図１および図２に示すように、ハンマー本体２３と、このハンマー本体２３の後部（図２では左側部）に設けられた錘部２４と、ハンマー本体２３の前部側（図２では右側部）に設けられて、ハンマー本体２３の回転中心となる合成樹脂製の回転取付部２５と、ハンマー本体２３の前側に位置する先端部（図２では右端部）に設けられた鍵当接摺動部２６とを備えている。
【００２１】
このハンマー部材３は、図１および図２に示すように、ハンマー本体２３の鍵当接摺動部２６を鍵盤シャーシ１のハンマー載置部７の前下り部９に設けられた開口部９ａに挿入させた状態で、ハンマー本体２３の回転取付部２５をハンマー載置部７の下面に設けられたハンマー支持部８の支持軸８ａに回転可能に取り付けることにより、ハンマー本体２３がハンマー支持部８の支持軸８ａを中心に上下方向に回転するように構成されている。
【００２２】
また、このハンマー部材３は、図１および図２に示すように、ハンマー本体２３の回転取付部２５がハンマー支持部８の支持軸８ａに回転可能に取り付けられた際に、ハンマー本体２３の前側に位置する先端部（図１では右端部）に設けられた鍵当接摺動部２６が、鍵２のハンマー押圧部２０に形成されたハンマー保持部２１内に、摺動可能に挿入されるように構成されている。
【００２３】
これにより、ハンマー部材３は、図１および図２に示すように、通常の状態で、ハンマー本体２３が錘部２４の重量によってハンマー支持部８の支持軸８ａを中心に反時計回りに回転し、ハンマー本体２３の錘部２４側の後端部（図１では左端部）が下限ストッパ部１５に当接して位置規制されると共に、ハンマー本体２３の鍵当接摺動部２６が鍵２のハンマー押圧部２０を押し上げて鍵２を上限位置に位置規制するように構成されている。
【００２４】
また、このハンマー部材３は、図１および図２に示すように、鍵２が上方から押鍵されると、鍵２のハンマー押圧部２０によってハンマー本体２３の鍵当接摺動部２６がハンマー本体２３の錘部２４の重量に抗して押し下げられ、これに伴ってハンマー本体２３がハンマー支持部８の支持軸８ａを中心に時計回りに回転し、ハンマー本体２３の錘部２４側の後端部が鍵盤シャーシ１の鍵載置部１２の下面に設けられたフェルトなどの上限ストッパ２７に当接して、ハンマー本体２３の回転が停止するように構成されている。
【００２５】
ところで、このハンマー部材３には、図１および図２に示すように、ハンマー本体２３の回転に伴う遠心力に応じて移動する移動部材２８が、ハンマー本体２３の長手方向に沿って移動可能に設けられている。この場合、ハンマー本体２３には、移動部材２８をガイドするガイド孔２９が、鍵盤シャーシ１の基板載置部１０の下側に対応した状態で、ハンマー本体２３の長手方向に沿って設けられている。
【００２６】
移動部材２８は、図２および図３に示すように、全体が高さの高いほぼ三角形状に形成されている。この移動部材２８の下部には、ガイド溝２８ａが形成されている。このガイド溝２８ａ内には、図３に示すように、ハンマー本体２３のガイド孔２９内に両側から挿入する一対の係合突起２８ｂが設けられている。
【００２７】
これにより、移動部材２８は、図２および図３に示すように、そのガイド溝２８ａにガイド孔２９の上部側に位置するハンマー本体２３の箇所が移動可能に挿入すると共に、一対の係合突起２８ｂがガイド孔２９内に両側から挿入してガイド孔２９の上部側に位置するハンマー本体２３の箇所を移動可能に挟むように構成されている。
【００２８】
また、この移動部材２８は、図１および図２に示すように、付勢部材であるコイルばね３０によって初期位置に向けて付勢されている。このコイルばね３０は、その一端部３０ａがハンマー本体２３の回転中心側である回転取付部２５側に位置するガイド孔２９の端部に取り付けられ、他端部３０ｂがガイド孔２９に対応する移動部材２８の箇所に取り付けられた構成になっている。
【００２９】
これにより、コイルばね３０は、図１および図２に示すように、移動部材２８をハンマー本体２３の回転取付部２５側に向けて弾力的に引き寄せるように構成されている。この場合、ハンマー本体２３には、移動部材２８を初期位置に位置規制するためのストッパ部３１が設けられている。
【００３０】
このため、移動部材２８は、図１および図５に示すように、鍵２が弱い力で押鍵されてハンマー部材３がハンマー支持部８の支持軸８ａを中心に時計回りにゆっくり回転する際に、そのハンマー部材３の回転に伴って移動部材２８に生じる遠心力がコイルばね３０のばね力よりも小さいと、移動部材２８がコイルばね３０のばね力によってストッパ部３１に押し当てられた状態で、ハンマー部材３の回転と共に上方に移動するように構成されている。
【００３１】
また、この移動部材２８は、図１および図６に示すように、鍵２が強い力で押鍵されてハンマー部材３がハンマー支持部８の支持軸８ａを中心に時計回りに速い速度で回転する際に、そのハンマー部材３の回転に伴って移動部材２８に生じる遠心力がコイルばね３０のばね力よりも大きいと、コイルばね３０のばね力に抗して移動部材２８がストッパ部３１から離れる方向に移動し、この状態でハンマー部材３の回転と共に上方に移動するように構成されている。
【００３２】
さらに、この移動部材２８の上端部には、図１および図２に示すように、フック部３２がハンマー本体２３の回転中心側である回転取付部２５側に向けて突出して設けられている。このフック部３２の上方に位置する基板載置部１０上には、クリック感付与部材３３が設けられている。このクリック感付与部材３３は、移動部材２８がストッパ部３１に当接した状態で、ハンマー部材３が鍵２の押鍵操作に伴って時計回りに回転した際に、フック部３２が当接して乗り越えることにより、鍵２にクリック感を付与するように構成されている。
【００３３】
すなわち、このクリック感付与部材３３は、図１および図４に示すように、基板載置部１０の段差部１０ａの下部に一端部３４ａが取り付けられた弾性部材３４と、この弾性部材３４の上部を押え付ける押え部３５とを備えている。弾性部材３４は、厚みの薄い撓み変形可能な金属板、あるいはシリコーンゴムやエラストマーなどの柔軟性を有する合成樹脂からなり、鍵盤シャーシ１の前後方向に細長い形状に形成されている。
【００３４】
この弾性部材３４は、図１および図４に示すように、その一端部３４ａが基板載置部１０の段差部１０ａの下部に取り付けられ、他端部３４ｂ側が基板載置部１０の開口部１０ｂに対応し、この状態で他端部３４ｂ側が上下方向に撓み変形するように構成されている。また、押え部３５は、基板載置部１０の段差部１０ａの上部にビス３６によって取り付けられ、その下部先端（図４では左端部）が段差部１０ａに沿って折り曲げられて弾性部材３４の一端部３４ａ上に配置され、この弾性部材３４の一端部３４ａ側を押え付けるように構成されている。
【００３５】
この場合、弾性部材３４は、図４に示すように、その一端部３４ａの下面に基板載置部１０の開口部１０ｂの縁部が第１支点３７ａとして当接し、またこの一端部３４ａ側の上面に押え部３５の下部先端が第２支点３７ｂとして当接するように構成されている。この場合、弾性部材３３は、その一端部３４ａから第２支点３７ｂ間での長さ（Ｌ１）が、一端部３４ａから第１支点３７ａまでの長さ（Ｌ２）よりも、長く（Ｌ１＞Ｌ２）設定されている。
【００３６】
これにより、弾性部材３４は、図４に示すように、その他端部３４ｂに移動部材２８のフック部３２が下側から当接して乗り越える際に、他端部３４ｂ側が第２支点３７ｂを中心に上方に撓み変形し、また他端部３４ｂに移動部材２８のフック部３２が上側から当接して乗り越える際に、他端部３４ｂ側が第１支点３７ａを中心に下方に撓み変形するように構成されている。
【００３７】
このため、この弾性部材３４は、図４に示すように、他端部３４ｂ側が第２支点３７ｂを中心に上方に撓み変形する際の変形力が、第１支点３７ａを中心に他端部３４ｂ側が下方に撓み変形する際の変形力よりも、大きくなるように構成されている。これにより、弾性部材３４は、移動部材２８のフック部３２が下側から当接して乗り越える際にフック部３２に付与される負荷が、移動部材２８のフック部３２が下側から当接して乗り越える際にフック部３２に付与される負荷よりも、大きくなるように構成されている。
【００３８】
次に、このような鍵盤装置の作用について説明する。
まず、鍵２が押鍵操作されていない初期状態のときには、図１に示すように、ハンマー部材３が錘部２４の重量によってハンマー支持部８の支持軸８ａを中心に反時計回りに回転し、このハンマー部材３の錘部２４側の後端部が鍵盤シャーシ１の後脚部１４における下端部に設けられた下限ストッパ１５に当接している。
【００３９】
このときには、図１に示すように、鍵２のハンマー押圧部２０のハンマー保持部２１がハンマー本体２３の先端部（図１では右端部）に位置する鍵当接摺動部２６によって押し上げられているので、鍵２が鍵盤シャーシ１の鍵載置部１２上に設けられた鍵支持部１３の支持軸１３ａを中心に反時計回りに回転して上限位置に規制されている。この状態では、鍵２のスイッチ押圧部１６がスイッチ部４の上方に位置して離れている。
【００４０】
この状態で、鍵２を弱い力で押鍵操作すると、図５に示すように、鍵２が鍵支持部１３の支持軸１３ａを中心に時計回りに回転して、ハンマー押圧部２０のハンマー保持部２１がハンマー部材３の鍵当接摺動部２６をゆっくり押し下げる。これにより、ハンマー部材３が錘部２４の重量に抗して、図５において時計回りにゆっくり回転する。
【００４１】
このときには、ハンマー部材３のハンマー本体２３の回転によって、鍵２にアクション荷重が付与されるので、鍵荷重が重くなる。また、このときには、ハンマー本体２３の回転に伴って移動部材２８に生じる遠心力がコイルばね３０のばね力よりも小さい。このため、移動部材２８がコイルばね３０のばね力に抗して移動することがなく、コイルばね３０のばね力よってストッパ部３１に押し当てられた状態を維持し、この状態でハンマー本体２３の回転と共に上方に移動する。
【００４２】
そして、鍵２の押鍵操作に伴ってハンマー部材３が時計回りに更に回転して、図５に示すように、ハンマー本体２３の後端部（図５では左端部）が鍵盤シャーシ１の鍵載置部１３の下面に設けられたフェルトなどの上限ストッパ２７に接近する際に、スイッチ部４が鍵２のスイッチ押圧部１６によって押圧されて、ゴムシート１８の膨出部１８ａが弾性変形することにより、スイッチ部４がスイッチ信号を出力する。
【００４３】
また、このときには、ハンマー部材３に移動可能に設けられた移動部材２８のフック部３２が鍵盤シャーシ１の基板載置部１０の開口部１０ｂ内に下側から挿入して、クリック感付与部材３３の弾性部材３４に下側から当接して乗り越えるので、鍵荷重が重くなった後に、急激に軽くなるクリック感がレットオフ感として鍵２に付与される。
【００４４】
すなわち、移動部材２８のフック部３２が弾性部材３４の他端部３４ｂに下側から当接して乗り越える際には、他端部３４ｂ側が第２支点３７ｂを中心に上方に撓み変形するので、弾性部材３４の変形力が大きく、フック部３２に付与される負荷が大きい。このため、フック部３２が弾性部材３４の他端部３４ｂを乗り越えると、フック部３２に付与された大きな負荷が急激に抜けて軽くなる。
【００４５】
これにより、鍵２に鍵荷重が急激に軽くなるレットオフ感が付与される。この後、ハンマー本体２３の後端部（図５では左端部）が鍵盤シャーシ１の鍵載置部１３の下面に設けられたフェルトなどの上限ストッパ２７に当接し、ハンマー本体２３が上限位置に規制されて、ハンマー部材３の回転が急激に停止する。
【００４６】
そして、鍵２から指が離れて鍵２が離鍵動作を開始すると、図５に示すように、ハンマー部材３のハンマー本体２３が錘部３４の重量によってハンマー支持部８の支持軸８ａを中心に反時計回りに回転し、鍵２がスイッチ部４の膨出部１８ａの弾性復帰力によって鍵支持部１３の支持軸１３ａを中心に反時計回りに回転を開始する。すると、ハンマー本体２３に設けられた移動部材２８のフック部３２がクリック感付与部材３３の弾性部材３４に上側から当接して乗り越える。
【００４７】
このときには、弾性部材３４の他端部３４ｂ側が第１支点３７ａを中心に下方に撓み変形するので、弾性部材３４の変形力が小さく、フック部３２に付与される負荷が小さい。このため、フック部３２が弾性部材３４の他端部３４ｂを乗り越える際に、フック部３２に付与される負荷が小さく、フック部３２が軽い感じのクリック感を鍵２に付与して弾性部材３４をすり抜ける。
【００４８】
このように、フック部３２が弾性部材３４の他端部３４ｂを乗り越えると、ハンマー本体２３がハンマー支持部８の支持軸８ａを中心に反時計回りに更に回転し、鍵２が鍵支持部１３の支持軸１３ａを中心に反時計回りに更に回転する。そして、ハンマー本体２３の錘部３４側の後端部が鍵盤シャーシ１の後脚部１４における下端部に設けられた下限ストッパ１５に当接する。
【００４９】
これにより、鍵２は、図１に示すように、ハンマー押圧部２０のハンマー保持部２１がハンマー本体２３の先端部（図１では右端部）に位置する鍵当接摺動部２６によって押し上げられるので、鍵２が鍵支持部１３の支持軸１３ａを中心に反時計回りに回転して上限位置に規制される。この状態では、鍵２が初期位置に戻り、鍵２のスイッチ押圧部１６がスイッチ部４の上方に位置して離れる。
【００５０】
次に、鍵２を強い力で押鍵操作した場合について説明する。
このときには、図６に示すように、鍵２が鍵支持部１３の支持軸１３ａを中心に時計回りに回転して、ハンマー押圧部２０のハンマー保持部２１がハンマー部材３の鍵当接摺動部２６を速い速度で押し下げる。これにより、ハンマー部材３が錘部２４の重量に抗して、図６において時計回りに速い速度で回転する。
【００５１】
このようにハンマー本体２３が回転すると、このハンマー本体２３の回転によって、鍵２にアクション荷重が付与されるので、鍵荷重が重くなる。このときには、ハンマー本体２３の回転に伴って移動部材２８に生じる遠心力がコイルばね３０のばね力よりも大きい。このため、移動部材２８がコイルばね３０のばね力に抗してハンマー本体２３の回転中心から離れる方向に移動し、この状態で移動部材２８がハンマー本体２３の回転と共に上方に移動する。
【００５２】
そして、鍵２の押鍵操作に伴ってハンマー部材３が時計回りに回転して、図６に示すように、ハンマー本体２３の後端部（図６では左端部）が鍵盤シャーシ１の鍵載置部１３の下面に設けられたフェルトなどの上限ストッパ２７に接近する際に、スイッチ部４が鍵２のスイッチ押圧部１６によって押圧されてゴムシート１８の膨出部１８ａが弾性変形することにより、スイッチ部４がスイッチ信号を出力する。
【００５３】
また、このときには、ハンマー本体２３に移動可能に設けられた移動部材２８のフック部３２が鍵盤シャーシ１の基板載置部１０の開口部１０ｂ内に下側から挿入するが、図６に示すように、フック部３２はクリック感付与部材３３の弾性部材３４に接触することなく、弾性部材３４の他端部３４ｂの後方（図６では左側）を通過する。このため、クリック感付与部材３３によるクリック感が鍵２に付与されることがない。
【００５４】
この後、ハンマー本体２３の後端部（図６では左端部）が鍵盤シャーシ１の鍵載置部１３の下面に設けられたフェルトなどの上限ストッパ２７に当接すると、ハンマー本体２３が上限位置に規制されて、ハンマー本体２３の回転が急激に停止する。そして、鍵２から指が離れて鍵２が離鍵動作を開始すると、図６に示すように、ハンマー本体２３が錘部３４の重量によってハンマー支持部８の支持軸８ａを中心に反時計回りに回転を開始する。
【００５５】
すると、ハンマー本体２３に設けられた移動部材２８は、コイルばね３０のばね力に抗してハンマー本体２３の回転中心から離れる方向に移動した状態で、ハンマー本体２３の回転と共に下側に移動する。このときには、移動部材２８のフック部３２がクリック感付与部材３３の弾性部材３４に接触することなく、弾性部材３４の他端部３４ｂの後方を通過する。このため、クリック感付与部材３３によるクリック感が鍵２に付与されることがない。
【００５６】
このように、フック部３２が弾性部材３４の他端部３４ｂの後方を通過すると、ハンマー本体２３がハンマー支持部８の支持軸８ａを中心に反時計回りに更に回転し、これに伴って鍵２が鍵支持部１３の支持軸１３ａを中心に反時計回りに更に回転する。そして、ハンマー本体２３の錘部３４側の後端部が鍵盤シャーシ１の後脚部１４における下端部に設けられた下限ストッパ１５に当接する。
【００５７】
これにより、鍵２は、図１に示すように、ハンマー押圧部２０のハンマー保持部２１がハンマー本体２３の先端部（図１では右端部）に位置する鍵当接摺動部２６によって押し上げられるので、鍵２が鍵支持部１３の支持軸１３ａを中心に反時計回りに回転して上限位置に規制される。この状態では、鍵２が初期位置に戻り、鍵２のスイッチ押圧部１６がスイッチ部４の上方に位置して離れる。
【００５８】
このように、この鍵盤装置によれば、鍵盤シャーシ１と、この鍵盤シャーシ１上に上下方向に回転可能に取り付けられた鍵２と、この鍵２の押鍵操作に伴って回転して鍵２にアクション荷重を付与するハンマー部材３と、このハンマー部材３に移動可能に設けられ、ハンマー部材３の回転に伴う遠心力に応じて移動する移動部材２８と、この移動部材２８が当接して乗り越えた際にクリック感を付与するクリック感付与部材３３とを備えていることにより、鍵２を押鍵する強さに応じてクリック感を付与することができ、これによりアコースティックピアノの鍵タッチ感に近似した鍵タッチ感を得ることができる。
【００５９】
すなわち、この鍵盤装置では、鍵２を強く押鍵すると、移動部材２８が遠心力で移動して、この移動部材２８をクリック付与部材３３から離すことができるので、鍵２にクリック付与部材３３によるクリック感が付与されず、また鍵２を弱く押鍵すると、移動部材２８が遠心力によってほとんど移動せず、この移動部材２８をクリック感付与部材３３に当接させて乗り越えさせることができるので、鍵２にクリック付与部材３３によるクリック感を付与することができる。これにより、鍵２を押鍵する強さに応じてクリック感を付与することができるので、アコースティックピアノの鍵タッチ感に近似した鍵タッチ感を得ることができる。
【００６０】
また、この鍵盤装置では、移動部材２８を初期位置に向けて付勢する付勢部材であるコイルばね３０を備えているので、ハンマー部材３が回転しないときに、移動部材２８を初期位置に確実に配置することができると共に、鍵２が弱い力で押鍵されて移動部材２８に対する遠心力がコイルばね３０のばね力よりも小さいときにも、移動部材２８を初期位置に配置することができ、これによりクリック付与部材３３によるクリック感を鍵２に付与することができる。
【００６１】
この場合、鍵２が強い力で押鍵されて移動部材２８に対する遠心力がコイルばね３０のばね力よりも大きいときには、その遠心力によって移動部材２８をコイルばね３０のばね力に抗して初期位置から移動させることができ、これにより移動部材２８をクリック付与部材３３に当接させることなく、クリック付与部材３３の側方を通過させることができるので、クリック付与部材３３によるクリック感が鍵２に付与されないようにすることができる。
【００６２】
さらに、この鍵盤装置では、クリック感付与部材３３が、上下方向に撓み変形する弾性部材３４を有し、移動部材２８が弾性部材３４に下側から当接する際における弾性部材３４の撓み変形力と、移動部材２８が弾性部材３４に上側から当接する際における弾性部材３４の撓み変形力とが、異なることにより、押鍵時と離鍵時とで鍵２に付与されるクリック感を異ならせることができる。
【００６３】
この場合、移動部材２８が弾性部材３４に下側から当接する際における弾性部材３４の撓み変形力を、移動部材２８が弾性部材３４に上側から当接する際における弾性部材３４の撓み変形力よりも、大きく設定することにより、押鍵時に鍵２に付与されるクリック感を離鍵時に鍵２に付与されるクリック感よりも強くすることができ、これによってもアコースティックピアノの鍵タッチ感に近似した鍵タッチ感を得ることができる。
【００６４】
なお、上述した実施形態では、ハンマー本体２３に設けられたガイド孔２９に沿って移動する移動部材２８が、ハンマー本体２３の回転中心を通る放射線Ｒ方向に対して交差する方向に沿って移動するように構成した場合について述べたが、これに限らず、例えば図７に示すように、ハンマー本体２３のガイド孔２９をハンマー本体２３の回転中心を通る放射線Ｒに沿って設けることにより、移動部材２８をハンマー本体２３の回転中心を通る放射線Ｒ方向に沿って移動するように構成しても良い。
【００６５】
このように構成すれば、ハンマー本体２３がその回転中心を中心として回転する際に、移動部材２８に遠心力を効率よく付与することができるので、移動部材２８をハンマー本体２３の回転に応じて良好に移動させることができる。
【００６６】
また、上述した実施形態では、移動部材２８を初期位置に向けて付勢する付勢部材として、コイルばね３０を用いた場合について述べたが、必ずしもコイルばね３０である必要はなく、板ばねなどのばね部材であっても良く、また必ずしもばね部材である必要もなく、例えば図８（ａ）に示す第１変形例、あるいは図８（ｂ）に示す第２変形例のように構成したものであっても良い。
【００６７】
すなわち、図８（ａ）に示された第１変形例の付勢部材は、ハンマー部材３に磁石４０を設け、この磁石４０の磁力で移動部材２８を初期位置に吸引するように構成されている。このように構成すれば、ハンマー部材３の回転によって移動部材２８に生じる遠心力が磁石４０の吸引力よりも大きくなった際に、移動部材２８を移動させることができる。
【００６８】
また、図８（ｂ）に示された第２変形例の付勢部材は、ハンマー部材３に傾斜部４１を設け、この傾斜部４１を移動部材２８が遠心力に応じて駆け上るように構成されている。このように構成すれば、ハンマー部材３の回転によって移動部材２８に生じる遠心力が徐々に大きくなると、これに伴って移動部材２８が遠心力に応じて傾斜部４１を徐々に駆け上るように移動させることができ、逆に移動部材２８に生じる遠心力が徐々に小さくなると、動部材２８が傾斜部４１を徐々に駆け下りるように移動させることができる。
【００６９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７０】
（付記）
請求項１に記載の発明は、鍵盤シャーシ上に上下方向に回転可能に取り付けられた鍵と、
前記鍵の押鍵操作に伴って回転して前記鍵にアクション荷重を付与するハンマー部材と、
前記ハンマー部材に移動可能に設けられ、前記ハンマー部材の回転に伴う遠心力に応じた位置に移動する移動部材と、
前記押鍵操作に伴って前記移動部材が移動した位置が、所定の移動範囲内にある場合のみ、前記移動部材と当接するフック部材と、
を備えていることを特徴とする鍵盤装置である。
【００７１】
請求項２に記載の発明は、請求項１に記載の鍵盤装置において、前記移動部材は、前記ハンマー部材の回転中心から離れる方向に移動することを特徴とする鍵盤装置である。
【００７２】
請求項３に記載の発明は、請求項１または請求項２に記載の鍵盤装置において、前記移動部材を初期位置に向けて付勢する付勢部材を備えていることを特徴とする鍵盤装置である。
【００７３】
請求項４に記載の発明は、請求項１〜請求項３のいずれかに記載の鍵盤装置において、前記フック部材は、上下方向に撓み変形する弾性部材を有し、前記移動部材が前記弾性部材に下側から当接する際における前記弾性部材の撓み変形力と、前記移動部材が前記弾性部材に上側から当接する際における前記弾性部材の撓み変形力とが、異なることを特徴とする鍵盤装置である。
【符号の説明】
【００７４】
１  鍵盤シャーシ
２  鍵
３  ハンマー部材
８  ハンマー支持部
８ａ  支持軸
１３  鍵支持部
１３ａ  支持軸
２０  ハンマー押圧部
２３  ハンマー本体
２４  錘部
２５  回転取付部
２６  鍵当接摺動部
２８  移動部材
２９  ガイド孔
３０  コイルばね
３３  クリック感付与部材
３４  弾性部材
３５  押え部
３７ａ  第１支点
３７ｂ  第２支点
４０  磁石
４１  傾斜部
【図１】
0006011047.tif 000002
【図２】
0006011047.tif 000003
【図３】
0006011047.tif 000004
【図４】
0006011047.tif 000005
【図５】
0006011047.tif 000006
【図６】
0006011047.tif 000007
【図７】
0006011047.tif 000008
【図８】
0006011047.tif 000009